(57)【特許請求の範囲】
【請求項１】
ディスクを装着して駆動するディスク駆動機構を少なくとも搭載した可動体と、
前記可動体をディスク再生時に収容する収容体と、
前記可動体を前記収容体に対して前記ディスク駆動機構に装着されたディスクの面に沿った方向へ出し入れするための搬送手段と、
前記可動体に設けられ、前記可動体が少なくとも前記収容体内のディスク再生位置にあるとき、前記収容体の、前記ディスク駆動機構に装着された前記ディスクの面に対して直交しかつ前記搬送手段による前記可動体の搬送方向に沿った複数の面のうちの一方の面を押圧して、その反力で前記可動体を前記収容体の他方の面に押しつける第１の押圧手段と、
前記収容体に取り付けられ、前記可動体が前記収容体内のディスク再生位置にあるとき、前記第１の押圧手段が前記収容体の前記一方の面を押圧する位置から前記可動体の搬送方向に離間した位置で、前記第１の押圧手段が前記収容体の前記一方の面を押圧する方向の逆方向に前記可動体を押圧して前記可動体を前記収容体の前記他方の面に押しつける第２の押圧手段と
を具備することを特徴とするディスク再生装置。
【請求項２】
前記第１の押圧手段が、前記可動体の搬送に伴って回転自在な押圧ローラ及びこの押圧ローラを押圧方向に付勢する圧縮コイルバネを有することを特徴とする請求項１に記載のディスク再生装置。
【請求項３】
前記第２の押圧手段が、前記可動体の前記収容体への挿入時搬送方向のほぼ末端位置を押圧するように配置されていることを特徴とする請求項１または２に記載のディスク再生装置。
【発明の詳細な説明】
【０００１】
【発明の属する技術分野】
本発明は、ＣＤ−ＲＯＭ、ＤＶＤ等の光ディスクを再生するディスク再生装置に関する。
【０００２】
【従来の技術】
近年、ＣＤ−ＲＯＭドライブなどの光ディスクドライブの倍速再生は、８倍、１６倍さらには２４倍といったように年々高速化の様相を呈している。このような光ディスクドライブの高速化によりディスク駆動時の振動問題が深刻さを増してきている。
【０００３】
特に、偏重心ディスクを高速駆動した際にディスクの回転周期毎に発生する内部振動のエネルギはディスクの回転速度等に比例して大きくなり、携帯型の情報処理装置に内蔵されるＣＤ−ＲＯＭディスクドライブでは、その内部振動がキーボード部等を通してユーザの手に伝わったり、騒音が発生するなどしてユーザに不快感を与えることはもちろん、ディスクの読み取り能力を低下させる要因となる。また、高密度な光ディスクとして知られるディジタルビデオディスク（以下、ＤＶＤと呼ぶ。）は、コンパクトディスク、レーザディスクと比べてトラックピッチが半分程度と狭く、振動によるディスク読み出しへの影響が大である。
【０００４】
更に、このような内部振動の問題は、ディスク駆動・再生機構を装置内に固定したタイプのものより可動式としたもの、すなわち、ドライブのキャビネットかに対して、ディスクモータや光ピックアップ等のディスク駆動・再生機構を搭載した部分（以下、これをドロワーと呼ぶ。）を出し入れ自在に構成した光ディスクドライブにおいてより深刻なものとなる。
【０００５】
【発明が解決しようとする課題】
ディスク駆動・再生機構を搭載した可動体（ドロワー）をその収容体（キャビネット）に対して出し入れ自在に構成したディスク再生装置では、特に偏重心ディスクを高速駆動した際に可動体が収容体内で振動し、収容体側との衝突によって外部にその振動が伝わったり騒音が発生し、更にはディスクの読み取り性能に低下をもたらすと言う問題がある。
【０００６】
本発明はこのような課題を解決するためのもので、ディスクを搭載して駆動する機構系を搭載した可動体の、ディスク再生時における収容体内での振動を抑制する効果の高いディスク再生装置の提供を目的としている。
【０００７】
また、本発明は、可動体を出し入れする際の収容体側との接触抵抗をあまり高めることなく、ディスク再生時の収容体内での可動体の拘束性を高めて振動を抑制することのできるディスク再生装置の提供を目的としている。
【０００８】
【課題を解決するための手段】
上記目的を達成するために、本発明のディスク再生装置は、請求項１に記載されるように、ディスクを装着して駆動するディスク駆動機構を少なくとも搭載した可動体と、可動体をディスク再生時に収容する収容体と、可動体を収容体に対して前記ディスク駆動機構に装着されたディスクの面に沿った方向へ出し入れするための搬送手段と、可動体に設けられ、可動体が少なくとも収容体内のディスク再生位置にあるとき、収容体の、ディスク駆動機構に装着されたディスクの面に対して直交しかつ搬送手段による可動体の搬送方向に沿った複数の面のうちの一方の面を押圧して、その反力で可動体を収容体の他方の面に押しつける第１の押圧手段と、収容体に取り付けられ、可動体が収容体内のディスク再生位置にあるとき、第１の押圧手段が収容体の一方の面を押圧する位置から可動体の搬送方向に離間した位置で、第１の押圧手段が収容体の一方の面を押圧する方向の逆方向に可動体を押圧して可動体を収容体の他方の面に押しつける第２の押圧手段とを具備することを特徴とする。
【０００９】
この発明では、可動体が収容体内のディスク再生位置にあるとき、第１の押圧手段と第２の押圧手段とにより、可動体の搬送方向にて離間した２つの位置から、可動体を、その搬送方向に直交する収容体の面に押しつけるように押圧を行うことによって、可動体の水平方向つまりディスク駆動機構に装着されたディスクの面に沿った方向への横揺れを抑制し得る。また、第１の押圧手段が可動体側に設けられているので、可動体の搬送過程（たとえば挿入の初期）において第１の押圧手段と収容体側の面との非接触期間を設定しやすく、可動体の搬送負荷を低減することができる。
【００１０】
また、本発明のディスク再生装置は、請求項２に記載されるように、第１の押圧手段が、可動体の搬送に伴って回転自在な押圧ローラ及びこの押圧ローラを押圧方向に付勢する圧縮コイルバネを有することを特徴とする。
【００１１】
本発明では、可動体の搬送に伴って回転自在な押圧ローラで収容体の一方の面を押圧するように構成されているので、可動体を搬送する際の収容体との接触抵抗が少なくて済み、よって、可動体の搬送負荷をより小さくすることができる。
【００１２】
また、本発明のディスク再生装置は、請求項３に記載されるように、第２の押圧手段が、可動体の収容体への挿入時搬送方向のほぼ末端位置を押圧するように配置されていることを特徴とする。
【００１３】
本発明では、可動体搬送時の第２の押圧手段と可動体の面との接触期間を最短にすることができ、可動体の搬送負荷をさらに低減することができる。
【００２４】
【発明の実施の形態】
以下、本発明を実施する場合の形態について図面に基づき説明する。
【００２５】
図１は本発明の一実施形態であるＣＤ−ＲＯＭドライブの全体的な構成を示す斜視図である。
【００２６】
このＣＤ−ＲＯＭドライブは、ディスクを駆動・再生する各機構系を搭載した可動体（以下、ドロワーと呼ぶ。）１をキャビネット２に対して出し入れ自在に構成してなる。ドロワー１の両側面に設けられたガイド突起１ａはキャビネット２の両内側面に設けられたガイド支持部２ａにスライド式のドロワー受け部材３を介して結合され、以てドロワー１はディスク面と平行な方向に案内されるように構成されている。ドロワー１のキャビネット２内への挿入は手動により行われ、排出はドロワー１の正面パネル１ｂに設けられたスイッチ１ｃを押すことによってマイクロコンピュータがこれを検知し、イジェクト用のモータ１２にドライブ信号を出力するよう制御することによって自動で行われる。
【００２７】
ドロワー１の主面には、図示しない光ディスクの外形に適合した凹部４が形成され、この凹部４の中央部には光ディスクのセンタ穴と嵌合して該ディスクを固定するためのディスクチャック機構５を有するターンテーブル６が配置されている。このターンテーブル６はドロワー１内に配置された図示しないディスクモータのモーダ軸に直結されている。
【００２８】
ドロワー１内には、上記ディスクモータおよびターンテーブル６を含むディスク駆動機構のほかに、光ピックアップ７と、この光ピックアップ７を移動させるためのピックアップ送り機構、更にはドロワー１をキャビネット２内から自動排出するためのイジェクト用のモータ１２を含むドロワーイジェクト機構などが設けられている。さらにドロワー１の凹部４には、光ピックアップ７の少なくともピックアップレンズ７ａの部分を露出するための開口８が形成されている。
【００２９】
キャビネット２内には、マイクロコンピュータ、メモリ、各種モータのドライブ回路などの半導体装置やコネクタなどの各種電子部品を実装した回路基板９が固定されている。そして、このキャビネット２内の回路基板９はドロワー１内の各機構部とフレキシブル配線板１０を通じて電気的に接続されている。
【００３０】
次に、このＣＤ−ＲＯＭドライブにおいて、キャビネット２内に装填されたドロワー１がディスク駆動時に加速度を受けてもキャビネット２内で振動しないようにするための機構について図１乃至図５を参照して説明する。
【００３１】
このＣＤ−ＲＯＭドライブでは、ドロワー１の前部と後部の２点で、ドロワー１をその搬送方向（矢印Ｙ１−Ｙ２方向）に対して直交する一方向（矢印Ｘ１方向）へ向けてキャビネット２側のもつ面（ドロワー搬送方向に沿って面）に押しつける、より具体的にはドロワー１のガイド突起１ａの側面をキャビネット２のガイド支持部２ａの内側面３１ｂに押しつけることによって、ドロワー１の振動を抑制するように構成されている。
【００３２】
すなわち、ドロワー１の前部には押圧ローラ２３などから構成される第１の押圧手段２１が設けられ、キャビネット２のほぼ最後部には板バネからなる第２の押圧手段２２が設けられている。
【００３３】
ドロワー１の前部に設けられた第１の押圧手段２１は、図５に示すように、一端部に押圧ローラ２３が回動自在に支持されドロワー１の搬送方向（矢印Ｙ１−Ｙ２方向）に対して直交する方向（矢印Ｘ１−Ｘ２方向）に一定距離内を進退自在に支持されたスライダ２４と、スライダ２４をドロワー基体１から矢印Ｘ２方向に付勢する圧縮コイルバネ２５とから構成される。押圧ローラ２３はその一部周面をドロワー１の側面１ｅから突出するように配置されている。なお、２６はスライダ２４の移動方向と移動範囲を規制する部材、２４ａはスライダ２４に一対に設けられ圧縮コイルバネ２５の付勢力を受ける部分、２７は圧縮コイルバネ２５の一端をドロワー基体１にて支持している部分である。
【００３４】
次に、このドロワー振動抑制機構の作用について説明する。
【００３５】
図２および図５（ａ）はドロワー排出時、図３および図５（ｂ）はドロワー搬送過程、図４および図５（ｃ）はドロワー装填完了時（ディスク再生時）の状態をそれぞれ示している。
【００３６】
図３および図５（ｂ）に示すように、ドロワー１の挿入時に押圧ローラ２３はドロワー１の装填完了前の定位置からキャビネット２の立上げ壁３２の内側面３１ａとの当接を開始する。押圧ローラ２３はキャビネット２側からの反力を受けて圧縮コイルバネ２５の付勢力に逆らいつつドロワー基体１内側へ若干量押し込まれる。このように押圧ローラ２３がドロワー基体１内に押し込まれることで、圧縮コイルバネ２５を通じてドロワー基体１にもキャビネット内２側からの反力が伝わり、この結果、ドロワー１はキャビネット２側のもつ反対側の面３１ｂ（キャビネット２のガイド支持部２ａの内側面３１ｂ）に押しつけられる。
【００３７】
一方、キャビネット２の最後部に設けられた第２の押圧手段である板バネ２２は、ドロワー１の装填完了直前よりドロワー１のガイド突起１ａとの接触を開始し、図４および図５（ｃ）に示すように、ドロワー１の装填完了時において、ドロワー１を矢印Ｘ１方向に押圧して第１の押圧手段２１と同様にドロワー１をキャビネット２側のもつ反対側の面３１ｂに押しつける。
【００３８】
したがって、ドロワー１をキャビネット２内に装填し終えた状態つまりドロワー１がディスク再生可能な位置にあるとき、ドロワー１は、第１の押圧手段２１と第２の押圧手段２２によって、前後の２ヶ所で、ドロワー搬送方向に対して直交する方向よりキャビネット２の面３１ｂに押しつけられ、ディスク駆動時のドロワー１の振動を効果的に抑制することが可能となる。
【００３９】
また、本実施形態では、ドロワー１の前部の第１の押圧手段２１に回転自在な押圧ローラ２３を用いたことで、これを単なる板バネとした場合に比べて、ドロワー搬送時のキャビネット２側の面３１ａとの接触抵抗を軽減することができ、また、押圧ローラ２３はドロワー１の前部に設けられているのでドロワー１の装填完了付近まではキャビネット２側の面３１ａと接触しない。このため、ドロワー１を手動で挿入操作する際の抵抗感を軽減することができるとともに、ドロワー１の排出操作に必要な動力を削減することができるなど、ドロワー１の全体的な搬送負荷を軽減することができる。
【００４０】
さらに、本実施形態においてドロワー１側に設けられた第１の押圧手段２１は、これを単なる板バネとした場合に比べ、キャビネット側面との当接時の進退域を長く設定することができる。このため、各部品の寸法誤差によって生じる押圧力の変動が少なく、性能の安定したドロワー振動防止機構を実現することができる。  さらに、キャビネット２側の最後部に設けられた第２の押圧手段としての板バネ２２は、ドロワー１の装填完了直前になってはじめてドロワー１と干渉するので、ドロワー１の搬送負荷を過度に増大させる恐れがない。
【００４１】
なお、本実施形態では、ドロワー１の前後二ヶ所でドロワー１に側圧を加えるように構成したが、押圧か所は三か所以上あってもよく、また、必ずしもドロワー１の前部と後部である必要はない。例えば、中央部と後部、前部と中央部でもよい。前部と中央部に押圧手段を設ける場合は、各押圧手段としてローラを用いた低摩擦の押圧手段を用いることが望ましい。また、ドロワー１の前部と後部に、回転自在な押圧ローラからにる押圧手段を組み込んでもよい。
【００４２】
【発明の効果】
以上説明したように本発明によれば、可動体が収容体内のディスク再生位置にあるとき、第１の押圧手段と第２の押圧手段とにより、可動体の搬送方向にて離間した２つの位置から、可動体を、その搬送方向に直交する収容体の面に押しつけるように押圧を行うことによって、可動体の水平方向つまりディスク駆動機構に装着されたディスクの面に沿った方向への横揺れを抑制し得る。また、第１の押圧手段が可動体側に設けられているので、可動体の搬送過程において第１の押圧手段と収容体側の面との非接触期間を設定しやすく、可動体の搬送負荷を低減することができる。
【００４３】
また、本発明によれば、可動体の搬送に伴って回転自在な押圧ローラで収容体の一方の面を押圧するように構成されているので、可動体を搬送する際の収容体との接触抵抗が少なくて済み、可動体の搬送負荷をより小さくすることができる。
【００４４】
さらに、本発明によれば、可動体搬送時の第２の押圧手段と可動体の面との接触期間を最短にすることができ、可動体の搬送負荷をさらに低減することができる。
【図面の簡単な説明】
【図１】本発明の一実施形態であるＣＤ−ＲＯＭドライブの全体構成を示す斜視図
【図２】図１のＣＤ−ＲＯＭドライブのドロワー排出時の状態を示す平面図
【図３】図１のＣＤ−ＲＯＭドライブのドロワー搬送過程の状態を示す平面図
【図４】図１のＣＤ−ＲＯＭドライブのドロワー装填時の状態を示す平面図
【図５】図１のＣＤ−ＲＯＭドライブのドロワー振動抑制機構の動作を示す平面図
【符号の説明】
１……ドロワー
２……キャビネット
６……ターンテーブル
７……光ピックアップ
２１……第１の押圧手段
２２……第２の押圧手段（板バネ）
２３……押圧ローラ
２４……スライダ
２５……圧縮コイルバネ
３１ａ，３１ｂ……キャビネット側の面
【図１】
0003798512.tif 000002
【図２】
0003798512.tif 000003
【図３】
0003798512.tif 000004
【図４】
0003798512.tif 000005
【図５】
0003798512.tif 000006